(57)【要約】【課題】１つ以上の画像をフレーム内に配置したコラージュ画像を容易な操作で作成してプリントできる画像プリント装置を提供する。【解決手段】本発明の一態様による画像プリント装置は、画像データを入力する入力部と１１、前記画像データを縮小した複数のサムネイル画像を表示する第１表示部１０Ａと、画像挿入領域を有するフレーム画像を表示する第２表示部１０Ｂと、複数のフレーム画像を記憶する記憶部１５と、フレーム画像の選択を受け付け、選択されたフレーム画像を第２表示部１０Ｂに表示させ、前記サムネイル画像の選択を受け付け、選択されたサムネイル画像を第２表示部１０Ｂの前記画像挿入領域に表示させる制御部１４０と、前記画像挿入領域にサムネイル画像が挿入されたフレーム画像を印刷するプリンタ１３と、を備えるものである。【選択図】図２
2016016561.tif 000002
【特許請求の範囲】
【請求項１】
画像データを入力する入力部と、
前記画像データを縮小した複数のサムネイル画像を表示する第１表示部と、
画像挿入領域を有するフレーム画像を表示する第２表示部と、
複数のフレーム画像を記憶する記憶部と、
フレーム画像の選択を受け付け、選択されたフレーム画像を前記第２表示部に表示させ、前記サムネイル画像の選択を受け付け、選択されたサムネイル画像を前記第２表示部の前記画像挿入領域に表示させる制御部と、
前記画像挿入領域にサムネイル画像が挿入されたフレーム画像を印刷するプリンタと、
を備える画像プリント装置。
【請求項２】
前記制御部は、フレーム画像の選択を受け付けると、選択されたフレーム画像に対応する画像データを検出し、検出した画像データを縮小したサムネイル画像を前記第１表示部に表示させることを特徴とする請求項１に記載の画像プリント装置。
【請求項３】
前記フレーム画像には対象時期が設定されており、
前記制御部は、選択されたフレーム画像に設定されている対象時期に撮影日時が含まれる画像データを検出することを特徴とする請求項２に記載の画像プリント装置。
【請求項４】
前記フレーム画像は複数の画像挿入領域を有し、
前記制御部は、画像挿入領域の選択を受け付け、選択されたサムネイル画像を、選択された画像挿入領域に表示させることを特徴とする請求項１乃至３のいずれかに記載の画像プリント装置。
【請求項５】
画像データを入力する入力部と、
前記画像データを縮小した複数のサムネイル画像を表示する第１表示部と、
画像挿入領域を有するフレーム画像を表示する第２表示部と、
複数のフレーム画像を記憶する記憶部と、
フレーム画像の選択を受け付け、選択されたフレーム画像を前記第２表示部に表示させ、前記サムネイル画像の選択を受け付け、選択されたサムネイル画像を前記第２表示部の前記画像挿入領域に表示させる制御部と、
前記画像挿入領域にサムネイル画像が挿入されたフレーム画像のデータを外部へ送信する通信部と、
を備える注文受付端末。
【発明の詳細な説明】
【技術分野】
【０００１】
本発明は、画像プリント装置及び注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をサムネイル表示し、利用者に提示する。そして、利用者がプリントする画像を選択し、プリント枚数等を指定すると、画像プリント装置は画像をプリント出力する。
【０００３】
また、従来の画像プリント装置は、画像データの編集機能を有しており、画像にスタンプを押したり、画像を縁取るフレームを付けたり、手書き文字の書き込みを行ったりし、編集した画像をプリント出力することができるが、さらに付加価値の高いプリント物を容易な操作で出力可能な画像プリント装置が求められている。
【先行技術文献】
【特許文献】
【０００４】
【特許文献１】特開２０１３−３３４５３号公報
【発明の概要】
【発明が解決しようとする課題】
【０００５】
本発明は、上記従来の実状に鑑みてなされたものであり、１つ以上の画像をフレーム内に配置したコラージュ画像を容易な操作で作成してプリントできる画像プリント装置、及びコラージュ画像を容易な操作で作成してプリント注文できる注文受付端末を提供することを課題とする。
【課題を解決するための手段】
【０００６】
本発明の一態様による画像プリント装置は、画像データを入力する入力部と、前記画像データを縮小した複数のサムネイル画像を表示する第１表示部と、画像挿入領域を有するフレーム画像を表示する第２表示部と、複数のフレーム画像を記憶する記憶部と、フレーム画像の選択を受け付け、選択されたフレーム画像を前記第２表示部に表示させ、前記サムネイル画像の選択を受け付け、選択されたサムネイル画像を前記第２表示部の前記画像挿入領域に表示させる制御部と、前記画像挿入領域にサムネイル画像が挿入されたフレーム画像を印刷するプリンタと、を備えるものである。
【０００７】
本発明の一態様による画像プリント装置において、前記制御部は、フレーム画像の選択を受け付けると、選択されたフレーム画像に対応する画像データを検出し、検出した画像データを縮小したサムネイル画像を前記第１表示部に表示させることが好ましい。
【０００８】
本発明の一態様による画像プリント装置において、前記フレーム画像には対象時期が設定されており、前記制御部は、選択されたフレーム画像に設定されている対象時期に撮影日時が含まれる画像データを検出することが好ましい。
【０００９】
本発明の一態様による画像プリント装置において、前記フレーム画像は複数の画像挿入領域を有し、前記制御部は、画像挿入領域の選択を受け付け、選択されたサムネイル画像を、選択された画像挿入領域に表示させることが好ましい。
【００１０】
本発明の一態様による注文受付端末は、画像データを入力する入力部と、前記画像データを縮小した複数のサムネイル画像を表示する第１表示部と、画像挿入領域を有するフレーム画像を表示する第２表示部と、複数のフレーム画像を記憶する記憶部と、フレーム画像の選択を受け付け、選択されたフレーム画像を前記第２表示部に表示させ、前記サムネイル画像の選択を受け付け、選択されたサムネイル画像を前記第２表示部の前記画像挿入領域に表示させる制御部と、前記画像挿入領域にサムネイル画像が挿入されたフレーム画像のデータを外部へ送信する通信部と、を備えるものである。
【発明の効果】
【００１１】
本発明によれば、１つ以上の画像をフレーム内に配置したコラージュ画像を容易な操作で作成してプリントできる。
【図面の簡単な説明】
【００１２】
【図１】本発明の実施形態に係る画像プリント装置のブロック構成図である。
【図２】同実施形態に係る画像プリント装置の概略斜視図である。
【図３】（ａ）〜（ｃ）はフレーム画像の例を示す図である。
【図４】フレームカテゴリ選択画面の一例を示す図である。
【図５】フレーム選択画面の一例を示す図である。
【図６】（ａ）〜（ｃ）は第２タッチパネルの画像挿入画面の例を示す図である。
【図７】第１タッチパネルの画像選択画面の一例を示す図である。
【図８】同実施形態に係る画像プリント方法を説明するフローチャートである。
【図９】（ａ）はフレーム画像の例を示す図であり、（ｂ）は画像挿入及び文字入力後のフレーム画像の例を示す図である。
【図１０】変形例による画像プリント装置の概略斜視図である。
【発明を実施するための形態】
【００１３】
以下、本発明の実施の形態を図面に基づいて説明する。
【００１４】
図１は本実施形態による画像プリント装置のブロック構成図であり、図２は画像プリント装置の概略斜視図である。図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。本実施形態による画像プリント装置は、コラージュ画像を作成し、プリント出力するものである。コラージュ画像の作成方法については後述する。
【００１５】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。第１タッチパネル１０Ａと第２タッチパネル１０Ｂのディスプレイ画面は同程度の大きさとなっている。
【００１６】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、後述する画像選択画面（図７参照）、注文内容や請求金額の確認画面等の基本操作画面を表示する。第２タッチパネル１０Ｂは、後述する画像挿入画面（図６参照）等を表示する。
【００１７】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００１８】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、単価、プリント部数、請求金額、投入金額、釣銭額等をレシートに印字して出力するレシートプリンタを有していてもよい。
【００１９】
プリンタ１３は、昇華型又はインクジェット型などの高解像度カラープリンタであり、作成されたコラージュ画像を用紙にプリントして出力する。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２０】
ディスク装置１５は、例えばハードディスクドライブであり、画像処理プログラム、制御プログラム、及びフレームデータを格納する。フレームデータは、図３（ａ）〜（ｃ）に示すような、少なくとも１つの画像挿入領域３１を有するコラージュ画像作成用のフレーム画像３０のデータである。図３（ａ）は６個の画像挿入領域３１を有するフレーム画像を示し、図３（ｂ）は５個の画像挿入領域３１を有するフレーム画像を示し、図３（ｃ）は３個の画像挿入領域３１を有するフレーム画像を示す。
【００２１】
各フレームデータには少なくとも１つのカテゴリが設定されている。例えば、図３（ａ）に示すフレーム画像３０のフレームデータには「誕生日」というカテゴリが設定される。図３（ｂ）に示すフレーム画像３０のフレームデータには「冬」及び「休日」というカテゴリが設定される。図３（ｃ）に示すフレーム画像３０のフレームデータには「ハロウィン」及び「秋」というカテゴリが設定される。
【００２２】
また、図３（ｂ）や図３（ｃ）に示すような、時期やイベントに関連のあるフレーム画像３０のフレームデータには対象時期が設定されている。例えば、図３（ｂ）に示すフレーム画像３０は冬の季節に対応するものであり、１２月１日〜２月２８日が対象時期として設定される。また、図３（ｃ）に示すフレーム画像３０はハロウィンに対応するものであり、１０月２５日〜１０月３１が対象時期として設定される。この対象時期は、後述するおすすめ画像表示に使用される。
【００２３】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データ、画像データを縮小したサムネイル画像用データ、フレームデータ、画像が挿入されたフレームデータ（コラージュ画像データ）などを格納する領域が確保される。
【００２４】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２５】
制御部１４０は、データ入力部１１を介して記憶媒体や携帯端末から画像データが入力されると、図４に示すようなカテゴリ選択画面を第１タッチパネル１０Ａ又は第２タッチパネル１０Ｂに表示する。カテゴリには、「正月」「バレンタインデー」「クリスマス」などのイベントについてのもの、「春」「夏」「秋」「冬」など季節についてのものなど、様々なものがある。
【００２６】
利用者が第１タッチパネル１０Ａ又は第２タッチパネル１０Ｂを操作してカテゴリを選択すると、制御部１４０は、選択されたカテゴリが設定されたフレームデータを用いて、図５に示すように、第１タッチパネル１０Ａ又は第２タッチパネル１０Ｂにフレーム画像３０を表示する。第１タッチパネル１０Ａ又は第２タッチパネル１０Ｂは、利用者により選択されたカテゴリに対応するフレーム画像３０の一覧を表示する。
【００２７】
フレーム画像３０の数が多く、１画面で表示しきれない場合は、ページ切替ボタン５１を押下（接触）してページを切り替えたり、タッチパネルの画面上でフリック操作を行ったりすることで、全てのフレーム画像３０を確認することができる。
【００２８】
利用者が第１タッチパネル１０Ａ又は第２タッチパネル１０Ｂを操作してフレーム画像３０を選択すると、制御部１４０は、図６（ａ）に示すように、選択されたフレーム画像３０を第２タッチパネル１０Ｂに表示する。フレーム画像３０内の画像挿入領域３１は空欄になっている。画像挿入対象の画像挿入領域３１は枠６０で囲まれている。
【００２９】
制御部１４０は、第２タッチパネル１０Ｂにフレーム画像３０を表示するとともに、図７に示すように、画像データを縮小したサムネイル画像７０を第１タッチパネル１０Ａに表示する。データ入力部１１を介して入力された画像データの数が多く、１画面で表示しきれない場合は、ページ切替ボタン７１を押下（接触）してページを切り替える、またはスクロールバー７２を操作する、または第１タッチパネル１０Ａの画面上でフリック操作を行うことにより、全ての画像データについてのサムネイル画像７０を確認することができる。
【００３０】
利用者が、第１タッチパネル１０Ａにおいてサムネイル画像７０を選択（押下）すると、制御部１４０は、同一の画像を、枠６０で囲まれた画像挿入対象の画像挿入領域３１に挿入して表示する。第１タッチパネル１０Ａの決定ボタン７３が押下されると、挿入画像が決定し、図６（ｂ）に示すように、画像挿入対象が次の画像挿入領域３１に変わる。そして、さらに挿入画像を選択・決定すると、図６（ｃ）に示すように、画像挿入対象が次の画像挿入領域３１に変わる。画像挿入対象は、利用者が、第２タッチパネル１０Ｂの画像挿入領域３１を選択（押下）することで変えることもできる。
【００３１】
第１タッチパネル１０Ａにおいて、画像挿入領域３１に挿入された画像に対応するサムネイル画像７０にチェックを付けるなどして、選択済みであることがわかるようにしてもよい。
【００３２】
第２タッチパネル１０Ｂに表示される全ての画像挿入領域３１に画像が挿入されると、第１タッチパネル１０Ａに画像選択完了を指示する完了ボタンが作成・表示される。この完了ボタンが押下されると、画像選択処理が終了する。
【００３３】
制御部１４０は、フレーム画像に、利用者が選択したサムネイル画像を挿入（合成）してコラージュ画像データを作成し、プリンタ１３へ出力する。プリンタ１３はコラージュ画像データを受け取ると、コラージュ画像を用紙にプリントして出力する。
【００３４】
本実施形態による画像プリント装置は、第２タッチパネル１０Ｂにフレーム画像３０を表示し、第１タッチパネル１０Ａにサムネイル画像７０の一覧を表示する。そして、サムネイル画像７０が選択されると、選択された画像を第２タッチパネル１０Ｂのフレーム画像３０画像挿入領域３１に挿入して表示する。このように、第２タッチパネル１０Ｂにおいてコラージュ画像の完成イメージを確認しながら、第１タッチパネル１０Ａで挿入画像を選択できるため、コラージュ画像を簡易な操作で作成することができる。
【００３５】
次に、図８に示すフローチャートを用いて、本実施形態に係る画像プリント処理の流れを説明する。
【００３６】
（ステップＳ１０１）データ入力部１１が画像データの入力を受け付ける。
【００３７】
（ステップＳ１０２）制御部１４０が、第１タッチパネル１０Ａ又は第２タッチパネル１０Ｂにカテゴリ選択画面を表示する。利用者は、タッチパネルを操作して、所望のカテゴリを選択する。制御部１４０は、タッチパネルを介して、利用者からのカテゴリ選択を受け付ける。
【００３８】
（ステップＳ１０３）制御部１４０が、ステップＳ１０２で選択されたカテゴリに対応するフレームデータを用いて、第１タッチパネル１０Ａ又は第２タッチパネル１０Ｂにフレーム選択画面を表示する。利用者は、タッチパネルを操作して、所望のフレーム画像を選択する。
【００３９】
（ステップＳ１０４）制御部１４０が、ステップＳ１０１で入力された画像データを縮小したサムネイル画像７０を、第１タッチパネル１０Ａのディスプレイに表示する。また、制御部１４０が、ステップＳ１０３で選択されたフレーム画像３０を第２タッチパネル１０Ｂのディスプレイに表示する。
【００４０】
（ステップＳ１０５）画像を挿入する画像挿入領域３１を選択する。利用者が、第２タッチパネル１０Ｂ上のフレーム画像３０内の画像挿入領域３１を押下することで、画像挿入対象の画像挿入領域３１を選択することができる。
【００４１】
（ステップＳ１０６）利用者が、第１タッチパネル１０Ａにおいて、画像挿入領域３１に挿入する画像（サムネイル画像７０）を選択する。
【００４２】
（ステップＳ１０７）制御部１４０が、ステップＳ１０６で選択された画像の画像データのサイズを適宜変換し、画像挿入対象の画像挿入領域３１に選択画像を挿入（合成）する。第２タッチパネル１０Ｂは、フレーム画像３０に選択画像が挿入されたコラージュ画像を表示する。
【００４３】
（ステップＳ１０８）利用者は、第２タッチパネル１０Ｂに表示されたコラージュ画像（完成イメージ）を確認し、挿入画像を確定する場合はステップＳ１０９へ進む。挿入画像を変更する場合は、ステップＳ１０６に戻り、挿入する画像（サムネイル画像７０）を再選択する。
【００４４】
（ステップＳ１０９）利用者が、第１タッチパネル１０Ａの決定ボタン７３を押下する。決定ボタン７３を押下すると、画像挿入対象が次の画像挿入領域３１へ自動的に変更される。
【００４５】
（ステップＳ１１０）フレーム画像３０の全ての画像挿入領域３１に画像を挿入し、注文が完了した場合は第１タッチパネル１０Ａの完了ボタンを押下する。画像未挿入の画像挿入領域３１がある場合は、ステップＳ１０５に戻る。また、挿入画像を変更したい画像挿入領域３１がある場合も、ステップＳ１０５に戻る。
【００４６】
（ステップＳ１１１）利用者からの注文内容に基づく請求金額が第１タッチパネル１０Ａに表示される。ステップＳ１０３で選択したフレームや、用紙サイズによって請求金額が決定する。利用者が貨幣を投入すると、課金部１２は投入された貨幣を計数し、釣銭の出金やレシートの印字等を行う。
【００４７】
（ステップＳ１１２）制御部１４０が、フレーム画像に、利用者が選択した画像を挿入（合成）してコラージュ画像データを作成し、プリンタ１３へ出力する。プリンタ１３が、制御部１４０からの指示に基づいてコラージュ画像を用紙にプリントして出力する。
【００４８】
以上のように、本実施形態による画像プリント装置は、フレーム画像３０と、利用者から入力された画像データのサムネイル画像７０とを異なるタッチパネルに表示するため、フレーム画像３０に選択画像が挿入された完成イメージを確認しながら、挿入するサムネイル画像７０の選択を行うことができる。そのため、画面の切り替えなどが少なくて済み、選択画像がフレーム内に配置されたコラージュ画像という付加価値の高いプリント物を簡易な操作で作成できる。
【００４９】
上記実施形態では、筐体１内にプリンタ１３を備え、その場でコラージュ画像のプリント物を出力する画像プリント装置について説明したが、プリンタ１３を省略し、コラージュ画像のプリント注文の受け付けを行う注文受付端末としてもよい。この場合、注文受付端末には、フレーム画像に利用者の選択画像が挿入（合成）されたコラージュ画像データを、有線又は無線ネットワークを介してプリンタサーバへ送信する通信部が設けられる。利用者は郵送等によってプリント物を受け取る。
【００５０】
上記実施形態において、フレームの選択に伴い、制御部１４０が、選択フレームに適したおすすめのサムネイル画像７０を第１タッチパネル１０Ａに表示するようにしてもよい。例えば、制御部１４０は、入力された画像データの撮影日時情報をもとに、選択フレームに設定されている対象時期に撮影日時が含まれる画像データを検出し、検出した画像データを縮小したサムネイル画像７０をおすすめ画像として第１タッチパネル１０Ａに表示する。このように、選択フレームに連動させて第１タッチパネル１０Ａにおすすめ画像を表示することで、選択フレームに適した画像を選択しやすくなり、コラージュ画像作成の操作がさらに容易になる。
【００５１】
また、制御部１４０は、選択フレームが「赤ちゃん」や「子供」等である場合、画像データの解析処理を行い、人物や顔を検出し、性別、年齢等を判別して赤ちゃんや子供が写っているものを抽出し、おすすめ画像として第１タッチパネル１０Ａに表示してもよい。
【００５２】
第１タッチパネル１０Ａにおすすめ画像を表示するか、又はサムネイル画像７０を通常表示するか切り替えられるようにすることが好ましい。
【００５３】
ディスク装置１５は、集合写真用のフレーム画像のデータを格納していてもよい。集合写真用のフレーム画像は、例えば図９（ａ）に示すように、画像挿入領域９０及び文字入力領域９１を有する。画像挿入領域９０に挿入される画像が決定すると、第１タッチパネル１０Ａに、文字入力用のキーボード画面が表示され、このキーボード画面を操作することで、図９（ｂ）に示すように、文字入力領域９１に文字が入力される。このように、集合写真用のフレーム画像を用いることで、画像プリント装置の編集機能を使用しなくても、集合写真を容易にプリント出力することができる。
【００５４】
フレーム選択画面において、集合写真用のフレーム画像が選択された場合、制御部１４０は、画像データの解析処理を行い、人物や顔を検出し、複数人が写っているものをおすすめ画像として第１タッチパネル１０Ａに表示してもよい。また、このとき、写っている人数が多い順におすすめ画像を表示してもよい。これにより、集合写真の画像を容易に探し出すことができる。
【００５５】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１０に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
３０  フレーム画像
３１  画像挿入領域
【図１】
2016016561.tif 000003
【図２】
2016016561.tif 000004
【図３】
2016016561.tif 000005
【図４】
2016016561.tif 000006
【図５】
2016016561.tif 000007
【図６】
2016016561.tif 000008
【図７】
2016016561.tif 000009
【図８】
2016016561.tif 000010
【図９】
2016016561.tif 000011
【図１０】
2016016561.tif 000012